(57)【要約】【課題】電子製品の充電を行う際、送電用コイルと受電用コイルの間の距離が離れていても、送電用コイルと受電用コイルの間に介入して送電用コイルから電子製品に備えられた受電用コイルに電力を効率良く供給することを可能とする電力伝送中継装置を提供する。【解決手段】電力伝送中継装置は、送電用コイル７と受電用コイル８の間まで移動する移動装置１と該移動装置１に固設された中継コイル２の中継コイル本体２ｂが、その面のどの位置に対しても前記送電用コイル７の送電用コイル本体７ｂで発生する磁界と適切に共振できる距離になるように配置され、中継コイル２の中継コイル本体２ｂに電流が流れ、流れた電流で起こる磁界と前記受電用コイルの受電用コイル本体８ｂが共振することにより、前記送電用コイル本体７ｂから前記受電用コイル本体８ｂに効率良く電力を供給させる電力伝送中継部を備える。【選択図】図１
2018038111.tif 000002
【特許請求の範囲】
【請求項１】
送電用コイルと受電用コイルの間に移動する移動装置と、該移動装置に固設され、前記送電用コイルで発生する磁界と共振して電流が流れ、流れた電流で起こる磁界を前記受電用コイルに共振させて前記送電用コイルから前記受電用コイルに電力を供給させる電力伝送中継部を備えたことを特徴とする電力伝送中継装置。
【請求項２】
前記送電用コイルと前記受電用コイルが対向する位置に移動されたことを検知して信号を送信する位置検知装置と、該位置検知装置からの信号を受信して前記移動装置に運転制御させて前記受電用コイルと前記送電用コイルの間に移動させる制御装置が設けられたことを特徴とする請求項１に記載の電力伝送中継装置。
【請求項３】
前記送電用コイルと前記受電用コイルの間に介在する異物を除去する異物除去手段が前記移動装置に設けられたことを特徴とする請求項１又は２に記載の電力伝送中継装置。
【発明の詳細な説明】
【技術分野】
【０００１】
本発明は、非接触で電子製品に電力を供給して充電を行う送電用コイルと受電用コイルの間に移動して、送電用コイルから受電用コイルへ効率良く電力を供給させる電力伝送中継装置に関する。
【背景技術】
【０００２】
電子製品を充電する方法の一つとして、電力を供給する電源と接続した送電用コイルに電子製品に設けられた受電用コイルを対向させて非接触で電力の供給を行う方法が知られている。この充電方法においては、電力の供給を行うため、送電用コイルと受電用コイルの間を適切な位置に配置するように送電用コイル及び受電用コイルを配置させることが求められる。しかし、送電用コイルから受電用コイルに電力を供給する際、送電用コイルと受電用コイルの間の距離が大きい場合、電子製品に電力を適切に供給できない問題がある。そのため、電子製品に設けられた受電用コイルを送電用コイルと電力の供給に適した位置に配置できない場合においても電力の供給を可能とする装置が重要となる。
【０００３】
ここで、従来の技術として、送電用コイルと受電用コイルの間の距離が離れている場合でも電力の供給を可能とするため、エアバッグの内部に中継アンテナ（以下、電力伝送中継部と記述する）が設けられている装置を送電用コイルの上部に備える技術が知られている（例えば、特許文献１参照）。電動式の車両を充電する際に、送電用コイルの上部に設けられたエアバッグが膨張して、エアバッグの内部に設けられた電力伝送中継部を浮き上がらせて送電用コイルと受電用コイルの間の中間位置付近に介在させる。これにより、送電用コイルから受電用コイルに電力を供給するとき、電力伝送中継部が送電用コイルで発生する磁界と共振して、電力伝送中継部に電流が流れる。そして、電力伝送中継部に流れた電流により発生する磁界と受電用コイルが共振することにより、送電用コイルから受電用コイルに電力を効率よく供給して、車両を効率よく充電することが可能となる。
【先行技術文献】
【特許文献】
【０００４】
【特許文献１】特開２０１５−１７７６３３号公報（段落［００４７］〜［００５１］、［図１２］等）
【発明の開示】
【発明が解決しようとする課題】
【０００５】
しかしながら、例えば特許文献１に記載された送電用コイルの上部に設けられているエアバッグの内部に電力伝送中継部を備えた装置では、電力を供給するとき、まず、エアバッグが送電用コイルの位置から受電用コイルの方向に膨張していき、同時に電力伝送中継部も受電用コイルの方向に移動する。このとき、エアバッグは一定の形に膨張しないため、電力伝送中継部の面は送電用コイル及び受電用コイルの対向面の水平方向から傾きやすく、その状態で電力伝送中継部は両コイル間に配置されやすい。そのため、電力伝送中継部は、その面の位置によって両コイルとの距離が異なり、両コイルとの磁界の共振に適した距離になりにくい。従って、電力伝送中継部が中継して、送電用コイルから受電用コイルに電力を効率良く供給するには不十分となる。
【０００６】
そこで、この発明は、送電用コイルと受電用コイルの間の距離が離れていたり、送電用コイルと受電用コイルの中心位置が若干ずれていたりして電力の供給効率が低下する恐れがある場合でも、電力伝送中継部を介在させることにより電子製品の充電の効率を良好にする電力伝送中継装置を提供することを課題としている。
【課題を解決するための手段】
【０００７】
かかる課題を解決するために、請求項１に記載の発明は、送電用コイルと受電用コイルの間に移動する移動装置と該移動装置に固設され、前記送電用コイルで発生する磁界と共振して電流が流れ、流れた電流で起こる磁界を前記受電用コイルに共振させて前記送電用コイルから前記受電用コイルに電力を供給させる電力伝送中継部を備えたことを特徴とする。
【０００８】
請求項２に記載の発明は、請求項１に記載の構成に加え、前記送電用コイルから前記受電用コイルと対向する位置に配置されたことを検知して信号を送信する位置検知装置と、該位置検知装置からの信号を受信して前記移動装置に運転制御させて前記受電用コイルと前記送電用コイルの間に移動させる制御装置が設けられたことを特徴とする。
【０００９】
請求項３に記載の発明は、請求項１又は２に記載の構成に加え、前記送電用コイルと前記受電用コイルの間に介在する異物を除去する異物除去手段が前記移動装置に設けられたことを特徴とする。
【発明の効果】
【００１０】
本発明によれば、送電用コイルと受電用コイルの間の距離が離れていたり、送電用コイルと受電用コイルの中心位置が若干ずれていたりして電力の供給効率が低下する恐れがある場合でも、電力伝送中継部を介在させることにより電子製品の充電の効率を良好にすることが可能となる。
【図面の簡単な説明】
【００１１】
【図１】本発明の実施の形態１に係る電力伝送中継装置等の構成を示す斜視図である。
【図２】当実施の形態１に係る電力伝送中継装置の使用方法を示す側面図である。
【図３】当実施の形態１に係る中継コイルが送電用コイルと受電用コイルの間に移動する状態を示す斜視図である。
【図４】当実施の形態１に係る中継コイルの移動装置が送電用コイルと受電用コイルの間に介在する状態を示す側面図である。
【図５】当実施の形態１に係る中継コイルが待機充電箱に設けられた収納部に配置している状態を示す斜視図である。
【図６】当実施の形態１に係る中継コイルが送電用コイルと受電用コイルの間に介在する状態を示す斜視図である。
【図７】（ａ）当実施の形態１に係る中継コイル本体を介して送電用コイルから受電用コイルに電力を供給する状態を示す略図、（ｂ）本発明の実施の形態２に係る中継共振器を介して送電用コイルから受電用コイルに電力を供給する状態を示す略図である。
【発明を実施するための形態】
【００１２】
［発明の実施の形態１］
図１乃至図７（ａ）には、この発明の実施の形態１を示す。
この実施の形態１に係る電力伝送中継装置１００は、図１及び図２に示すように、地面に設けられた送電用コイル７の送電用コイル本体７ｂから車両９に設けられた受電用コイル８の受電用コイル本体８ｂに電力を供給する際、図４に示すように、送電用コイル７と受電用コイル８の間に移動して送電用コイル本体７ｂから受電用コイル本体８ｂへの電力の供給を中継する「電力伝送中継部」として中継コイル２が固設された移動装置１と移動装置１が収納される待機充電箱３を備えている。
【００１３】
この送電用コイル７は、図２に示すように、地面に設けられている。また、送電用コイル７は、図１、図３乃至図６に示すように、円形状に形成された送電用コイル本体７ｂが円形筒状の送電用コイルの筐体７ａの内部に設けられて構成されている。
【００１４】
一方、受電用コイル８は、図２に示すように、車両９に設けられている。また、受電用コイル８は、図１、図３乃至図６に示すように、円形状に形成された受電用コイル本体８ｂが円形筒状の受電用コイルの筐体８ａの内部に設けられて構成されている。さらに、受電用コイル８は、車両９の、地面から離間した位置に、受電用コイル本体８ｂの円形状の下面が地面に対向して設けられている。
【００１５】
この実施の形態１に係る移動装置１は、図１に示すように、平たい箱状の装置本体１０を有し、この装置本体１０には、地面を転動する車輪１２が４箇所設けられ、この車輪１２を転動させる駆動源（図示せず）が設けられている。また、装置本体１０の前方部分には異物除去手段６が設けられ、さらに、装置本体１０には、車両９に設けられた受電用コイル８の位置を検知する位置検知装置４からの信号を受信して駆動源を運転制御及び異物除去手段６を運転制御する制御装置５が設けられている。この位置検知装置４は、待機充電箱３に設けられている。また、装置本体１０の中央内部には、地面に設けられた送電用コイル７から車両９に設けられた受電用コイル８への電力の供給を中継する「電力伝送中継部」として、図７の（ａ）に示すような中継コイル２が固設されている。また、これら車輪１２、駆動源、異物除去手段６及び制御装置５は中継コイル２より外側に設けられている。
【００１６】
この中継コイル２は、図１，図５及び図６に示すように、円形状に形成された中継コイル本体２ｂが円形筒状の中継コイルの筐体２ａの内部に設けられて構成されている。この円形状の中継コイル本体２ｂの中央部分は樹脂で構成されている。また、中継コイル本体２ｂは、図７の（ａ）に示すように、電線を巻回させたコイルを備えて構成されている。さらに、中継コイル本体２ｂの外周の大きさは、図６で示すように、送電用コイル本体７ｂ及び受電用コイル本体８ｂの外周より大きくなるように構成されている。なお、この実施の形態１において、中継コイル本体２ｂは、筐体２ａの内部に設けられているが、移動装置１の筐体２ａは必要なく、そのまま装置本体１０の内部に設けられていても良い。中継コイル本体２ｂの内部は樹脂で構成されているが、これに限らず、磁性体、金属であってもよく、また、空洞であっても良い。
【００１７】
また、異物除去手段６は、回転式のブラシにより構成され、移動装置１が地面に設けられた送電用コイル７と車両９に設けられた受電用コイル８の間に移動したときに、送電用コイル７の上部に存在する異物を掃き出して、送電用コイル７及び受電用コイル８の間の領域から外に除去するように構成されている。なお、異物除去手段６は、風圧を発生させて異物を吹き飛ばす風圧装置としても良い。
【００１８】
なお、車輪１２は、例えば無限軌道であっても良く、制御装置５は、この実施の形態では移動装置１に設けられているが、待機充電箱３に設けられていてもよい。
【００１９】
一方、この電力伝送中継装置１００の待機充電箱３は、図１に示すように、移動装置１を収納可能な凹部形状の収納部１３が設けられている。この待機充電箱３は、収納部１３内に移動装置１が待機している間、移動装置１を充電する充電装置が設けられている。
【００２０】
また、この待機充電箱３は、図２に示すように、送電用コイル７の送電用コイル本体７ｂが接続され、車両９に設けられた受電用コイル８の受電用コイル本体８ｂを充電するため、送電用コイル本体７ｂに電力を供給する電源装置の役割を兼ねている。なお、この構成に限らず、待機充電箱３とは別に送電用コイル本体７ｂに接続されている電源装置（図示せず）が設けられていてもよい。
【００２１】
さらに、この待機充電箱３は、図１に示すように、前述の位置検知装置４が設けられ、この位置検知装置４は、受電用コイル８が送電用コイル７に対向する位置に移動したことを検知して信号を移動装置１に設けられた制御装置５に送信するように構成されている。また、位置検知装置４と制御装置５の動作については後述する。
【００２２】
なお、位置検知装置４は、この実施の形態では待機充電箱３に設けられているが、移動装置１に設けられていても良く、受電用コイル８の位置を検知しやすい送電用コイル７の位置付近に設けられても良い。
【００２３】
次に、この実施の形態１に係る電力伝送中継装置１００の使用方法について説明する。
まず、車両９を充電するため、図２に示すように、運転者は車両９に設けられた受電用コイル８が地面に設けられた送電用コイル７に対向するように車両９を移動させて停車させる。このとき、待機充電箱３に設けられた位置検知装置４は、受電用コイル８が送電用コイル７に対向する位置に移動したことを検知して移動装置１に設けられた制御装置５に信号を送信する。制御装置５には、待機充電箱３に設けられた収納部１３から送電用コイル７までの距離が記録されており、制御装置５は位置検知装置４からの信号を受信して移動装置１の駆動源を運転制御する。これにより、移動装置１は自動で図３に示すように待機充電箱３に設けられた収納部１３から外部に移動して、図４に示すように送電用コイル７と受電用コイル８の間に移動する。
【００２４】
このとき、移動装置１は送電用コイル７と受電用コイル８の間に介在する異物を押し出して除去する。
【００２５】
さらに、位置検知装置４が受電用コイル８が送電用コイル７と対向する位置に移動したことを検知して制御装置５に信号を受信させて、移動装置１に設けられた異物除去装置６を制御する。これにより、この異物除去手段６が回転式のブラシを運転して送電用コイル７の上部に存在する異物を送電用コイル７と受電用コイル８の間の領域から外に掃き出して除去する。その後、移動装置１は送電用コイル７と受電用コイル８の間に介在した状態で停止する。
【００２６】
この状態で、運転者は車両９を停車して、待機充電箱３のスイッチを手動で操作して、車両９の充電を開始する。この車両９は車高が地面に対して高く、車両９に設けられた受電用コイル８が地面に対して高い位置に配設されているため、送電用コイル本体７ｂから受電用コイル本体８ｂに電力を供給することが可能な距離から離れている状態となっている。
【００２７】
このような車両９の充電であっても、地面に設けられた送電用コイル７と受電用コイル８の間に介在している移動装置１に設けられた中継コイル２の中継コイル本体２ｂが送電用コイル７の送電用コイル本体７ｂで発生する磁界と共振して、中継コイル本体２ｂに電流が流れ、中継コイル本体２ｂに流れる電流により発生する磁界と受電用コイル８の受電用コイル本体８ｂが共振する。これにより、コイル間の距離が離れ、磁界の結合が低い状態であっても、送電用コイル本体７ｂから受電用コイル本体８ｂに電力を供給することができる。
【００２８】
さらに、このとき、中継コイル本体２ｂは地面上を走行する移動装置１に固設されているため、送電用コイル本体７ｂの対向面に対して水平に位置している。また、車両に設けられ、送電用コイル本体７ｂと対向して位置している受電用コイル本体８ｂの対向面に対してもほぼ水平に位置している。すなわち、中継コイル本体２ｂは、エアバッグの内部に設けられている「電力伝送中継部」と異なり、両コイル本体７ｂ，８ｂの対向面に対して傾いて移動して、その状態で両コイル本体７ｂ，８ｂ間に配置されるものではなく、両コイル本体７ｂ，８ｂの対向面に対して水平に配置されるものである。そのため、中継コイル本体２ｂは、その面の位置によって両コイル本体７ｂ，８ｂとの距離が異なるものではなく、面のどの位置に対しても、ほぼ両コイル本体７ｂ，８ｂと磁界の結合に適した距離になりやすい。従って、中継コイル本体２ｂが電力供給の中継をすることが妨げられることがなく、送電用コイル本体７ｂから受電用コイル本体８ｂに効率的に電力を供給することができる。
【００２９】
さらに、移動装置１が送電用コイル７と受電用コイル８の間に移動するとき、移動装置１がその間に介在していた異物を押し出して除去することにより、送電用コイル本体７ｂと受電用コイル本体８ｂの間で電磁界が遮蔽等されることを防ぐことができ、送電用コイル本体７ｂから受電用コイル本体８ｂへの電量の供給効率を低下させることを防止することができる。
【００３０】
また、移動装置１に設けられた異物除去手段６が、移動装置１の押し出しによる異物の除去に加えて、送電用コイル７の上部に存在する微小な異物を除去することにより、より一層、送電用コイル本体７ｂと受電用コイル本体８ｂの間で電磁界が遮蔽等されるのを防ぐことができる。これにより、送電用コイル本体７ｂから受電用コイル本体８ｂへの電力の供給効率の低下を防止することができる。
【００３１】
さらに、車両９を充電する前、移動装置１は待機充電箱３に設けられた収納部１３内で待機していたため、移動装置１の上部に異物が載ることが防止される。そのため、移動装置１が送電用コイル７と受電用コイル８の間まで移動して送電用コイル７と受電用コイル８の間に異物が介入することを防止でき、送電用コイル本体７ｂ及び受電用コイル本体８ｂで発生する磁界の遮蔽等を防ぐことができる。
【００３２】
さらにまた、移動装置１に設けられた車輪１２、駆動源、異物除去手段６及び制御装置５は中継コイル２より外側に設けられており、また、中継コイル２の内部に設けられた中継コイル本体２ｂは外周の大きさが送電用コイル本体７ｂ及び受電用コイル本体８ｂの外周より大きくなるように構成されている。そのため、送電用コイル本体７ｂから受電用コイル本体８ｂに電力を供給している間、送電用コイル本体７ｂと受電用コイル本体８ｂの間で発生する電磁界がこれら車輪１２、駆動源、異物除去手段６及び制御装置５により遮蔽等されることがない。これにより、送電用コイル本体７ｂから受電用コイル本体８ｂへの電力の供給効率の低下を防ぐことができる。
【００３３】
車両９の充電が終了した後、充電が終了したことを車両９に設けられた表示器（図示せず）が運転者に報知する。表示器の報知により充電が終了したことを認知した運転者は、送電用コイル本体７ｂから受電用コイル本体８ｂへの電力の供給を停止するため、待機充電箱３のスイッチを手動で操作して車両９の充電を停止する。運転者が待機充電箱３の電力供給が停止したことを確認した後、車両９を移動させて受電用コイル８が送電用コイル７から離れた状態となると、位置検知装置４は受電用コイル８が送電用コイル７から離れたことを検知して移動装置１の制御装置５に信号を送信する。制御装置５には待機充電箱３に設けられた収納部１３から送電用コイル７までの距離が記録されており、位置検知装置４からの信号を受信した制御装置５は移動装置１の駆動源を運転制御して、自動で移動装置１を待機充電箱３に収納部１３内に移動させて待機させる。移動装置１は収納部１３内に待機している間、待機充電箱３により充電される。
【００３４】
以上、この実施の形態１においては、地面を走行する移動装置１に固設されている中継コイル本体２ｂが、送電用コイル本体７ｂと受電用コイル本体８ｂの間に移動して配置されたとき、両コイル本体７ｂ，８ｂの対向面に対して水平に配置されるため、中継コイル本体２ｂの面のどの位置に対しても両コイル本体７ｂ，８ｂと磁界を適切に結合できる距離に配置される。そのため、中継コイル本体２ｂが電力供給の中継をすることが妨げられず、送電用コイル本体７ｂから電力を送電したとき、受電用コイル本体８ｂに効率良く供給することができる。
【００３５】
［発明の実施の形態２］
図７（ｂ）に、この発明の実施の形態２を示す。
【００３６】
この実施の形態２に係る電力伝送中継装置１００は、上記実施の形態１に係る電力伝送中継装置１００において、「電力伝送中継部」として固設された中継コイル２の中継コイル本体２ｂに代えて図７の（ｂ）で示すように、中継共振器１１が固設されている。この中継共振器１１は電線を巻回させたコイルと、コンデンサーを備えた共振器として構成されている。「電力伝送中継部」として中継共振器１１が固設されている場合、中継共振器１１は中継コイル本体２ｂと異なり、高出力での伝達を可能とするため、中継コイル本体２ｂが固設されているときより、送電用コイル本体７ｂと車両９に設けられた受電用コイル８の受電用コイル本体８ｂが対向する方向において離れた状態であっても、送電用コイル本体７ｂから受電用コイル本体８ｂへ良好な供給効率で電力伝送することが可能となる。
【００３７】
また、上記各実施の形態に係る電力伝送中継装置１００には待機充電箱３が設けられているが、構成によっては、待機充電箱３を設けなくてもよい。
【００３８】
また、上記各実施の形態に係る電力伝送中継装置１００は、車両の充電するための非接触電力伝送装置に使用しているが、これに限らず、工業用ロボット等の駆動する大型の電子製品を充電するための非接触電力伝送装置に使用してもよい。
【００３９】
なお、上記各実施の形態は本発明の例示であり、本発明が上記実施の形態のみに限定されることを意味するものではないことは、いうまでもない。
【符号の説明】
【００４０】
１・・・移動装置
２・・・中継コイル
２ａ・・・中継コイルの筐体
２ｂ・・・中継コイル本体
３・・・待機充電箱
４・・・位置検知装置
５・・・制御装置
６・・・異物除去手段
７・・・送電用コイル
７ａ・・・送電用コイルの筐体
７ｂ・・・送電用コイル本体
８・・・受電用コイル
８ａ・・・受電用コイルの筐体
８ｂ・・・受電用コイル本体
９・・・車両
１０・・・本体
１１・・・中継共振器
１２・・・車輪
１３・・・収納部
１００・・・電力伝送中継装置
【図１】
2018038111.tif 000003
【図２】
2018038111.tif 000004
【図３】
2018038111.tif 000005
【図４】
2018038111.tif 000006
【図５】
2018038111.tif 000007
【図６】
2018038111.tif 000008
【図７】
2018038111.tif 000009